(57)【要約】【課題】インテリア調度品の感覚で設置することができながら、室内の上下温度分布、特に、床上近傍の空気温度分布を改善する可搬式空気循環機を提供すること【解決手段】吹出側を上方にして軸流ファンを本体内部に収納し、上面に軸流ファンの吹出口を設け、下方にラッパ状に拡開する軸流ファンの吸込口を設けるとともに、吸込口の開口部を床面から所定の高さ位置に設置するように本体外周部の複数個所に取り付けられた据付脚を備え、さらに、本体上面に透光性材料からなる垂直ダクトを取り付け、垂直ダクトの内部に照明灯を取り付けて垂直ダクトを光らせるようにする。【選択図】　　　　図１
2004060894.tif 000002
【特許請求の範囲】
【請求項１】
吹出側を上方にして軸流ファンを内部に収納し、上面に軸流ファンの吹出口を設け、下方にラッパ状に拡開する軸流ファンの吸込口を設けた本体と、
本体上面に取り付けられた、透光性材料からなる垂直ダクトと、
垂直ダクトを内部から照らすように取り付けられた照明灯と、
吸込口の開口部を床面から所定の高さ位置とするように、本体外周部の複数個所に取り付けられた据付脚と
を備えたことを特徴とする床置き可搬式空気循環機。
【請求項２】
前記吸込口は、人の足の踝程度の高さ位置で開口するように形成されていることを特徴とする請求項１記載の床置き可搬式空気循環機。
【請求項３】
前記垂直ダクトは、和紙により形成されていることを特徴とする請求項１又は２記載の床置き可搬式空気循環機。
【請求項４】
前記垂直ダクトは、内面側に補強シートを備えた和紙により形成されていることを特徴とする請求項１又は２記載の床置き可搬式空気循環機。
【請求項５】
前記垂直ダクト内に、前記ファンからの吹出空気が吹き付けられて揺動するシート状物が取り付けられたことを特徴とする請求項１〜４の何れか１項に記載の床置き可搬式空気循環機。
【発明の詳細な説明】
【０００１】
【発明の属する技術分野】
本発明は、室内空気の上下方向の温度分布を良好にするための床置き可搬式空気循環機に関する。
【０００２】
【従来の技術】
一般に室内を空気調和する場合、暖気は上がり、冷気は下がるので、室内において上方部と床面付近とでは通常１０℃以上の温度差が生ずる。人体には暖かさを感じる温点と冷たさを感じる冷点が分布している。頭が寒さをあまり感じないのは温点が多いからであり、足が冷たく感じることが多いのは冷点が多いからといわれている。空気調和した場合、前述のように上方部ほど温度が高くなるということは、温点の多く存在する頭の方に暖気が存在し、冷点の多く存在する足の方に冷気が存在することになる。このため、頭がほてったりのぼせたりするにも拘わらず、足元が寒いという状態をしばしば経験する。
【０００３】
一般の空気調和機では、吹出グリルの風向を上下可変とし、暖気（温風）を下方に吹き出し、冷気をより上方に吹き出すことができるように形成されている。ただ、このように空気調和機の吹出グリルを可変にしただけでは、室内において上下間の温度分布を十分にはバランスさせることができない。このための対策として従来、室内空気循環機（サーキュレータ）が開発されている。この一例を図４に示す。
【０００４】
この図において、１０１は、空気調和機の代表例としての壁掛け型空気調和機で、１０２はその室外機である。本体の前面に吸込口１０３、下方に吹出グリル１０４が設けられている。吹出グリル１０４は上下方向に風向可変とされており、通常暖気（温風）は最下方に向けて吹き出され、冷気は水平近くまで風向を上方にして吹き出されている。一方、１１０は、壁掛け型空気調和機１０１に対向する壁面に取り付けられたサーキュレータである。このサ−キュレータ１１０は、前面に吸込口、下方に吹出口を備えたものである。なお、サーキュレータの位置はこのように壁掛け型空気調和機１０１に対向する面に取り付けるものときめられたものではなく、使用者の意思で自由な壁面に取り付けることができるが、一旦取り付けた後は変更が困難であった。なお、一般的にはこのように対向壁面に取り付けられることが多い。
【０００５】
【発明が解決しようとする課題】
しかしながら、この場合、サーキュレータ１１０は壁面取り付けとなっているため、室内気流は図示Ａ、Ｂのようになる。室内の上下温度バランスを考える場合には、くるぶしより下、少なくともひざより下方の床面付近の空気と、上方部（天井面近傍）の空気とを置換させる必要があるが、この例では、このような上下空気を置換させるような気流が十分に発生しない。したがって、上下温度分布の改善が不十分であった。
また、このようなサーキュレータに求められる気流は、人のいる場所、空気調和機の据え付け場所、使用者の感覚により変化し、一律に決めることが困難である。このため、サーキュレータの取付位置は、容易に変更でき、使用により気流分布及び温度分布を実感しつつ据付場所を選定できることが好ましい。これに対し、従来のサーキュレータは、一旦据付場所を選定すると、後になって変更することが困難である。
また、従来のようなサーキュレータは、壁掛け型であるため室内に圧迫感を与え、インテリアデザイン上から見て好ましい形態とは云えなかった。
【０００６】
本発明は、このような従来技術に存在する問題点に着目してなされたものであて、インテリア調度品の感覚で設置場所を自由に選択することができながら、室内の上下温度分布、特に、床上近傍の空気温度分布を改善する可搬式空気循環機を提供することにある。
【０００７】
【課題を解決するための手段】
上記目的を達成するために、本発明に係る床置き可搬式空気循環機は、吹出側を上方にして軸流ファンを内部に収納し、上面に軸流ファンの吹出口を設け、下方にラッパ状に拡開する軸流ファンの吸込口を設けた本体と、本体上面に取り付けられた、透光性材料からなる垂直ダクトと、垂直ダクトを内部から照らすように取り付けられた照明灯と、吸込口の開口部を床面から所定の高さ位置とするように、本体外周部の複数個所に取り付けられた据付脚とを備えたことを特徴とする。
【０００８】
このような構造を備えた本発明によれば、下方にラッパ状に拡開する吸込口から床面の空気を吸入することができ、この空気を室内上方部に向かって吹き出すため、室内の高さ方向の温度分布を均一化して室内環境を快適にすることができる。また、垂直ダクトを光らせることにより、インテリア調度品、例えば床置き照明具のような感覚で室内の隅部などに設置することができるので、室内生活空間を圧迫するようなことがなく、また、日常生活の邪魔にならない状態で使用することができる。
【０００９】
また、このように構成された床置き可搬式空気循環機において、前記吸込口は、人の足の踝程度の高さ位置で開口するように形成されていることが好ましい。
本発明者が研究したところでは、空気調和機による空調においては、例えば、外気温度が約２０℃で、部屋の床面と上方との温度差が約７℃とすると、膝から下がその半分を占め、そのうちの約２℃が踝より下であることが解明された。したがって、上記のように下方にラッパ状に拡開する吸込口の開口部を人の足の踝程度の高さ位置に形成すると、上下方向の温度差の最も大きい踝より下の部分の空気を吸い込むことにより、室内の上下方向の温度分布を効率よく改善することができる。具体的には、このように改善すると、冷房及び暖房において、足元と椅子に座った人の顔面との温度差を約２℃以内に改善できることが判明した。
また、このように室内上下方向の温度分布が改善されることにより、暖房時には室内の平均温度を約２℃低下させ、また、冷房時は室内の平均温度を約２℃上昇させることが可能になり、室内を冷暖房する空気調和機のエネルギー効率を向上させることができる。
【００１０】
また、上記床置き可搬式空気循環機において、垂直ダクトを和紙で形成することが好ましい。
このように構成すると、和紙製垂直ダクトが内部から照明されることにより、行灯のような雰囲気を醸し出すことができ、より一層インテリアデザイン性を向上させることができる。
【００１１】
また、上記床置き可搬式空気循環機において、垂直ダクトの内面側に透光性材料からなる補強シートを設けることが好ましい。
垂直ダクトを和紙で製作した場合、長時間使用していると、埃の付着、和紙の変質などにより和紙が真っ黒になるが、このように構成すると、垂直ダクトを構成する和紙の内面を拭き取るなどの清掃を行うことにより、垂直ダクトを簡単に元の色彩に復元することができる。
【００１２】
また、上記床置き可搬式空気循環機において、垂直ダクト内に、軸流ファンからの吹出空気が吹き付けられるようにシート状物を取り付けてもよい。
このように構成すると、軸流ファンからの吹出空気が周期的波動を以ってシート状物に吹き付けられることにより、シート状物が揺らぎ、その影が垂直ダクトの外側に映し出されることにより、インテリアデザイン性をさらに向上させることができるとともに、この影が揺れていることにより空気循環機が正常に運転されていることも知ることができる。
【００１３】
【発明の実施の形態】
本実施の形態を図１〜図３に基づき説明する。図１は床置き可搬式空気循環機の断面図であり、図２は同床置き可搬式空気循環機の外観図であり、図３は同床置き可搬式空気循環機の設置説明図である。
【００１４】
実施の形態に係る床置き可搬式空気循環機１は、本体２と、据付脚３と、照明灯４と、垂直ダクト５と、シート状物６などから構成されている。
【００１５】
本体２は、下面全体と上面の中央部とを開放した略円筒状の本体ケーシング２１を有し、この本体ケーシング２１内に、吹出方向を上方とする軸流ファン２０が収納されている。本体ケーシング２１は、板金により製作されているが、室内雰囲気との調和を考慮して樹脂成形品あるいは陶器製としても良い。
【００１６】
軸流ファン２０は、本体ケーシング２１の中央部に配置され、床面付近の空気を吸入して垂直方向の気流を発生するものである。このため、軸流ファン２０は、駆動用電動機の回転子の周りに翼が取り付けられた羽根車２２と、下記するファンケーシング２３とを備えている。
【００１７】
ファンケーシング２３は、その上部が吹出口２３ａとして形成され、その下部が吸込口２３ｂとして形成されている。吹出口２３ａは、本体ケーシング２１の上面に固定されている。また、吹出口２３ａの上部には、針金を組み合わせて網状に形成されたフィンガーガード２４が取り付けられている。吸込口２３ｂは、床面の空気を面状に誘引可能とするように、換言すれば、床面状に薄い層状の吸い込み気流を形成可能とするように、ラッパ状に下方に拡開する形状とされている。このため、吸込口２３ｂの端部の外周部は、本体ケーシング２１の円周より若干大きく形成されている。また、吸込口２３ｂの下部には、吸込口２３ｂを覆う金属網製のフィンガーガード２５が取り付けられている。
【００１８】
据付脚３は、下端に円柱状の座部３ａを備え、その上部をネジ軸としたものである。また、このラッパ状に下方に拡開する吸込口２３ｂの端部に形成されたネジ部２３ｃにネジ込まれて貫通し、本体ケーシング２１内に先端部が入り込むように取り付けられている。また、この据付脚３は、本体ケーシング２ａの外周を４等分する位置４個所に取り付けられている。据付脚３の座部３ａは、この床置き可搬式空気循環機１を床面に設置するのに適した大きさの円柱状に形成されている。このように、据付脚３は、吸込口２３ｂのネジ部２３ｃとのネジ込み部の位置を変化することにより、床面に安定して設置できるように、かつ、吸込口２３ｂの床面からの高さを調整することができるように構成されている。
【００１９】
照明灯４は、フィンガーガード２４の上部に取り付けられたソケット４ａに対し電球４ｂが取り付けられたものであって、垂直ダクト５の内部から光を照射するものである。これにより、床置き可搬式空気循環機１を照明器具のようにイメージさせている。
【００２０】
垂直ダクト５は、ファンケーシング２３の吹出口２３ａに連通するように本体２の上面に立設された円筒状ダクトであり、透光性材料により製作されている。透光性材料としては、半透明のプラスチックでもよいが、和風照明器具の印象を持たせるように和紙としている。また、垂直ダクト５は、和紙のみで製作すると強度的に弱くなる、また、照明灯４を点灯しながら使用すると、垂直ダクト５の内面が埃で汚れ易くなり、照明灯による和紙の経年変化が促進されることにより、和紙が薄黒くなり易い。そこで、垂直ダクト５は、このような欠陥を回避するために、和紙の内面側にプラスチック又はカッティングシート等の透光性材料からなる補強材が貼り合わされ、補強されている。
【００２１】
垂直ダクト５の高さは、その上端が少なくとも椅子に座った人の顔面ぐらいの高さにはなるように、すなわち、１ｍ弱ぐらいとなるように形成されている。高さをこのように１ｍ弱としたのは、床面の空気を上方部に流通させるために最低必要な寸法から割り出したものである。すなわち、実験により確認したところ、垂直ダクト５が上方部に至っていなくてもこの程度の寸法があれば、垂直ダクト５の出口では天井に向けて垂直気流が形成されているので、室内の床面と上方部間における強制対流を形成することができる。
【００２２】
また、垂直ダクト５の内面側には、布、プラスシックなどの小さいシート状物６が上方斜めに立ち上がるように、垂直ダクト５の下端と本体ケーシング２ａとに挟まれて取り付けられている。このシート状物６は、軸流ファン２０が駆動されたとき軸流ファン２０からの吹出空気流によりひらひらと揺動するように形成されている。
【００２３】
なお、図１において、７は軸流ファン２０及び照明灯４の制御回路であり、７ａは電源コードである。
【００２４】
次に、以上のように構成された床置き可搬式空気循環機１の動作について説明する。
この床置き可搬式空気循環機１は、図３のように壁掛け型空気調和機の室内機（以下エアコンと称する）８と対向する壁面に設置される（壁面の中央部でもよいがコーナ部などが好ましい）。
【００２５】
また、エアコン８を運転すると、例えば暖房運転においては、エアコン８から温風が下方に向けて吹き出される。しかし、暖気は上方に上がるため、エアコン８設置の壁面に対応する壁面の床面付近には温風が届き難い。したがって、この対向壁面では、床面付近と椅子に座った状態の人の顔面付近から上方部とで温度差が大きくなり易い。そこで、上方部の温度が高く、踝より下方の床面付近の温度が低いと感じられたときに、床置き可搬式空気循環機１を運転する。
【００２６】
床置き可搬式空気循環機１が運転されると、照明灯４が点灯され、透光性材料からなる垂直ダクト５が照明器具のように明るく光る。このように床置き可搬式空気循環機１は、インテリア調度品、例えば床置き照明具のような感覚で室内の隅部などに設置することができる。したがって、室内生活空間を圧迫するようなことがなく、また、日常生活の邪魔にならない状態で使用することができる。
【００２７】
また、本実施の形態の床置き可搬式空気循環機１では、垂直ダクト５が和紙により形成されているので、床置き可搬式空気循環機１を運転すると、行灯のような雰囲気を醸し出すことができ、より一層インテリアデザイン性を向上させることができる。
さらに、垂直ダクト内には、軸流ファンからの吹出空気が吹き付けられることにより、軸流ファン２０からの吹出空気によりシート状物６が揺動し、その揺動する影が垂直ダクト５の外側に映し出されるので（図２参照）、より優れたインテリアデザイン性を発揮することができる。
【００２８】
また、床置き可搬式空気循環機１が運転されると、下方にラッパ状に拡開する吸込口２３ｂから周辺床面付近の空気を吸い込む。このとき吸込口２３ｂが下方に向けて大きく広がっているので、床面に沿った気流が形成され易くなっている。吸込口２３ｂから吸い込まれた空気は、垂直ダクト５の上端から天井に向けて吹き出され、垂直ダクト５の出口では天井に向けて垂直気流が形成される。これにより、図３におけるＡ、Ｂ、Ｃのような気流が増加し、床置き可搬式空気循環機１の周辺部の床面付近の温度が上昇し、床面付近と天井等の上方部との間での温度の均一化が計られ、快適な室内環境を得ることができるようになる。
【００２９】
この場合において、据付脚３を調節して、吸込口２３ｂの開口部の高さを踝あたりに設定すると、上下方向の温度差の最も大きい踝より下の部分の空気を吸い込むことにより、室内の上下方向の温度分布を効率よく改善することができる。具体的には、このように改善すると、冷房及び暖房において、足元と椅子に座った人の顔面との温度差を約２℃以内に改善することができる。
また、このように室内上下方向の温度分布が改善されることにより、暖房時には室内の平均温度を約２℃低下させ、また、冷房時は室内の平均温度を約２℃上昇させることが可能になり、室内を冷暖房する空気調和機のエネルギー効率を向上させることができる。
【００３０】
また、この床置き可搬式空気循環機１では、前記垂直ダクト５が消音ダクトの作用を発揮し、軸流ファン２０の騒音や、吹出気流の騒音が消音され、静粛な運転が行われる。
【００３１】
また、床置き可搬式空気循環機１では、垂直ダクト５の内面にプラスチックやカッティングシートのような透光性材料からなる補強材が設けられているので、補強シートの内面を拭き取るなどの清掃を行うことにより、垂直ダクト５を簡単に元の色彩に復元することができる。
【００３２】
【発明の効果】
この発明の可搬式空気循環機によれば、吹出側を上方にし、下方にラッパ状に拡開する吸込口を有する軸流ファンを本体内部に収納し、吸込口の開口部を床面から所定の高さ位置とするように、本体外周部の複数個所に取り付けられた据付脚とを備えているので、床面付近の空気を吸入することができ、この空気を室内上方部に向かって吹き出すため、室内の高さ方向の温度分布を均一化して室内環境を快適にすることができる。また、本体上面に透光性材料からなる垂直ダクトを取り付け、垂直ダクトの内部に照明灯を取り付けて垂直ダクトを光らせるようにしているので、インテリア調度品、例えば床置き照明具のような感覚で室内の隅部などに設置することができ、室内生活空間に圧迫間を当てるようこともない。
【図面の簡単な説明】
【図１】本発明の実施の形態に係る床置き可搬式空気循環機の断面図である。
【図２】同床置き可搬式空気循環機の外観図である。
【図３】同床置き可搬式空気循環機の設置説明図である。
【図４】従来例に係る空気循環機の設置説明図である。
【符号の説明】
１　　　　　可搬式空気循環機
２　　　　　本体
３　　　　　据付脚
４　　　　　照明灯
５　　　　　垂直ダクト
６　　　　　シート状物
２０　　　軸流ファン
２２　　　羽根車
２３　　　ファンハウジング
２３ａ　吹出口
２３ｂ　吸込口
【図１】
2004060894.tif 000003
【図２】
2004060894.tif 000004
【図３】
2004060894.tif 000005
【図４】
2004060894.tif 000006